(57)【要約】      （修正有）【課題】角筒形耐熱壁の断熱効果を高めて、放射熱損失の増大や排ガス吸い上げ能力の低下などを抑制するとともに、亀甲状ヘアクラックによる破壊或いは水蒸気爆裂が防止できるように構成した煙突を提供する。【解決手段】投影平面形状が角形閉断面の角筒形耐熱壁２を備える角筒形煙突ユニットの複数１Ａ〜１Ｃを、上下に積層して煙突を構築する。角筒形耐熱壁２を、ケイ酸カルシウム板２０ａ，２０ｂ，２０ｃ，２０ｄからなる硬質断熱材２０と、ロックウール，ガラス繊維，セラミックファイバーなどの少なくとも１つからなる繊維質断熱材からなる軟質断熱材２１とを、厚み方向で互いに隣接して配置した複合構造体により構成する。【選択図】図２
0003204301.tif 000002
【実用新案登録請求の範囲】
【請求項１】
投影平面形状が角形閉断面の角筒形耐熱壁を備える角筒形煙突ユニットの複数を、上下に積層して構築した煙突において、
前記角筒形耐熱壁は、硬質断熱材と軟質断熱材とを、厚み方向で互いに隣接して配置した複合構造体により構成されていることを特徴とする煙突。
【請求項２】
請求項１に記載した煙突において
前記硬質断熱材はケイ酸カルシウム板からなり、前記軟質断熱材は繊維質断熱材からなる煙突。
【請求項３】
請求項１または２に記載した煙突において
前記角筒形耐熱壁は、前記軟質断熱材と、この軟質断熱材の厚み方向の片面に互いに隣接して配置した前記硬質断熱材と、前記軟質断熱材の厚み方向の残る片面に互いに隣接して配置した鋼板との複合構造体により構成されている煙突。
【請求項４】
請求項１または２に記載した煙突において
前記角筒形耐熱壁は、前記軟質断熱材と、この軟質断熱材の厚み方向両面に互いに隣接して配置した一対の前記硬質断熱材との複合構造体により構成されている煙突。
【請求項５】
請求項１ないし請求項４のいずれか１項に記載した煙突において
前記硬質断熱材の厚みは、３０ｍｍ〜５０ｍｍの範囲、好ましくは３５ｍｍに設定されている煙突。
【考案の詳細な説明】
【技術分野】
【０００１】
本考案は煙突に係り、建物内に設置される非常用発電機を駆動するガスタービンエンジンやディーゼルエンジンの排ガス、ボイラーの排ガス或いは産業廃棄物焼却炉の排ガスを建物外に導いて放散させるに好適な煙突に関する。
【背景技術】
【０００２】
従来、建物内に設置される非常用発電機を駆動するガスタービンエンジンやディーゼルエンジンの排ガス、ボイラーの排ガス或いは産業廃棄物焼却炉の排ガスを建物外に導いて放散させる煙突として、例えば特許文献１に記載のものが提供されている。
【０００３】
前記特許文献１に記載の煙突は、投影平面形状が四角形閉断面の四角筒形耐熱壁を備える四角筒形煙突ユニットの複数を、上下に積層することで構築されており、四角筒形耐熱壁は、４つのケイ酸カルシウム板の幅方向両端部どうしを、互いに係合して突き合わせる係合・突き合わせ構造により直角に組み合わせて四角筒形に構成されている。
【０００４】
この種の煙突の四角筒形耐熱壁は、高剛性と高断熱性とを有した構成とする必要がある。ところが、従来の四角筒形耐熱壁は、剛性は高いものの断熱性が低いケイ酸カルシウム板からなる硬質断熱材の単一構造体により構成され、この単一構造体が排ガスによる２５０℃〜６５０℃による高い負荷熱を負担することとなる。このため、四角筒形耐熱壁の表面温度が過剰に上昇し、これに伴って四角筒形煙突ユニットおよび煙突の表面温度が過剰に上昇して表面ロス（放射熱損失）が増大する。その結果、煙突内で排ガス温度が低下して煙突の排ガス吸い上げ能力を低下させたり、四角筒形煙突ユニットの表面に接する室内の温度が上昇して室内の温度管理に支障をきたしたり、さらには、誤って煙突の表面に触れると火傷するおそれを有する。
【０００５】
そこで、従来は、ケイ酸カルシウム板の厚みを厚くして断熱性能を高める手立てにより、四角筒形煙突ユニットの表面温度の過剰な上昇による放射熱損失や、煙突の排ガス吸い上げ能力の低下および室内温度の上昇などを抑えるようにしている。
【０００６】
ところで、前記煙突において、ケイ酸カルシウム板が排ガスに晒されると、この板は熱膨張により内向き（煙突の中心向き）に撓曲し、逆に、排ガス発生源の稼働停止時には、熱収縮により外向き（煙突の反中心向き）に撓曲する。ところが、撓曲に抗する力は厚みが厚くなるにつれ大きくなるので、熱膨張および熱収縮に伴う撓曲が妨げられる。その結果、ストレスが大きくなって亀甲状ヘアクラックが生じ、その経時進行により破壊する。このため、ケイ酸カルシウム板の厚みの増大に依存して断熱性能を高めている四角筒形耐熱壁は、亀甲状ヘアクラックによる破壊が顕著となり、これに追従して四角筒形煙突ユニットおよび煙突が破壊するおそれを有する。
【０００７】
一方、四角筒形耐熱壁に流入した雨水の一部や、冬季の寒冷地における煙突の運休時に四角筒形耐熱壁の内面に発生した結露水などの水分の一部は、ケイ酸カルシウム板に含まれる。水分を含んでいるケイ酸カルシウム板が排ガスに晒されると、水分が沸騰して蒸気圧が上昇する。ここで、ケイ酸カルシウム板の厚みが厚いと、水分の含み量が多くなって多量の水が沸騰する。しかも、厚みが増すにつれて蒸気の噴出抵抗が大きくなる。よって、蒸気圧は爆裂基準値を超えるレベルまで急激に上昇して水蒸気爆裂する。このため、ケイ酸カルシウム板の厚みの増大に依存して断熱性能を高めている四角筒形耐熱壁は、水蒸気爆裂が顕著となり、これに追従して四角筒形煙突ユニットおよび煙突が水蒸気爆裂するおそれを有する。
【０００８】
他方、ケイ酸カルシウム板の厚みが厚くなると、四角筒形耐熱壁および四角筒形煙突ユニットの重量が重くなるので、煙突構築施工の作業性が悪くなり、煙突構築コストが高くなる。また、四角筒形耐熱壁および各四角筒形煙突ユニットの重量増大に相当して、建物内の躯体への負荷荷重が高くなって躯体に悪影響をおよぼす欠点もある。さらには、前述の係合・突き合わせ構造により４つのケイ酸カルシウム板が直角に組み合わされた構成の四角筒形耐熱壁では、係合・突き合わせ構造の合せ面に形成される小さな隙間から排ガスが漏出して、室内環境に悪影響をおよぼすおそれもある。
【先行技術文献】
【特許文献】
【０００９】
【特許文献１】特許第５７９８６７６号公報
【考案の概要】
【考案が解決しようとする課題】
【００１０】
本考案は、上記の実情に鑑みてなされたもので、角筒形耐熱壁の断熱効果を高めて、放射熱損失の増大や排ガス吸い上げ能力の低下などを抑制するとともに、亀甲状ヘアクラックによる破壊或いは水蒸気爆裂が防止できるように構成した煙突の提供を目的とするものである。
【課題を解決するための手段】
【００１１】
前記目的を達成するために、本考案に係る煙突は、投影平面形状が角形閉断面の角筒形耐熱壁を備える角筒形煙突ユニットの複数を、上下に積層して構築した煙突において、
前記角筒形耐熱壁は、硬質断熱材と軟質断熱材とを、厚み方向で互いに隣接して配置した複合構造体により構成されていることを特徴とするものである。
【００１２】
前記構成の角筒形耐熱壁は、軟質断熱材により高い断熱効果が得られる。これにより、放射熱損失の増大や排ガス吸い上げ能力の低下などが抑制されるとともに、硬質断熱材の厚みを薄く設定することが許容される。
【００１３】
硬質断熱材は、その厚みが薄くなると熱膨張および熱収縮に伴う撓曲に抗する力が小さくなって、熱膨張および熱収縮に伴って撓曲し易くなりストレスは大幅に削減される。その結果、角筒形耐熱壁の亀甲状ヘアクラックによる破壊が防止され、角筒形煙突ユニットおよび煙突の破壊も防止される。
【００１４】
一方、厚みの薄い硬質断熱材は水分の含み量が少ないので、少量の水が沸騰することとなる上、厚みが薄くなると蒸気の噴出抵抗が小さくなる。このため、蒸気圧は爆裂基準値またはその付近のレベルまで上昇しなくなる。その結果、角筒形耐熱壁の水蒸気爆裂が防止され、角筒形煙突ユニットおよび煙突の水蒸気爆裂も防止される。
【００１５】
他方、硬質断熱材の厚みの削減に相当して角筒形耐熱壁および角筒形煙突ユニットの重量が軽減されるので、取り扱いが容易となり、煙突構築施工の作業性がよくなって、煙突の構築コストを削減できる。また、角筒形耐熱壁および角筒形煙突ユニットの重量軽減に相当して、建物内の躯体への負荷荷重が低くなり、建物の躯体におよぶ悪影響が緩和される。
【００１６】
前記硬質断熱材はケイ酸カルシウム板からなり、前記軟質断熱材は繊維質断熱材からなる。これによると、繊維質断熱材からなる軟質断熱材により高い断熱効果が得られる。このため、放射熱損失の増大や排ガス吸い上げ能力の低下などが抑制されるばかりか、ケイ酸カルシウム板からなる硬質断熱材の厚みを薄く設定することが許容される。
【００１７】
前記角筒形耐熱壁は、前記軟質断熱材と、この軟質断熱材の厚み方向の片面に互いに隣接して配置した前記硬質断熱材と、前記軟質断熱材の厚み方向の残る片面に互いに隣接して配置した鋼板との複合構造体により構成されている。この角筒形耐熱壁は、硬質断熱材と鋼板との協働により高い剛性が得られるとともに、軟質断熱材により高い断熱効果が得られる。よって、放射熱損失の増大や排ガス吸い上げ能力の低下などが抑制されるとともに、硬質断熱材の厚みを薄く設定することが許容されて、亀甲状ヘアクラックによる破壊や水蒸気爆裂が有効に防止される。また、この構成の角筒形耐熱壁では、小口径煙突の構築に好適である。
【００１８】
前記角筒形耐熱壁は、前記軟質断熱材と、この軟質断熱材の厚み方向両面に互いに隣接して配置した一対の前記硬質断熱材との複合構造体により構成されている。この角筒形耐熱壁は、一対の硬質断熱材により高い剛性が得られるとともに、軟質断熱材により高い断熱効果が得られる。よって、放射熱損失の増大や排ガス吸い上げ能力の低下などが抑制されるとともに、硬質断熱材の厚みを薄く設定することが許容されて、亀甲状ヘアクラックによる破壊や水蒸気爆裂が有効に防止される。また、この構成の角筒形耐熱壁では、大口径煙突の構築に好適である。
【００１９】
前記硬質断熱材の厚みは、３０ｍｍ〜５０ｍｍの範囲、好ましくは３５ｍｍに設定されている。これによると、亀甲状ヘアクラックによる破壊や水蒸気爆裂を防止できる。なお、厚みが３０ｍｍ未満であると、硬質断熱材の剛性が不足して、高剛性煙突の構築が妨げられ、厚みが５０ｍｍを超えると、亀甲状ヘアクラックおよび水蒸気爆裂の誘発率が飛躍的に高くなる。
【考案の効果】
【００２０】
本考案に係る煙突によれば、角筒形耐熱壁が硬質断熱材と軟質断熱材との複合構造体により構成されているので、軟質断熱材により高い断熱効果が得られる。これにより、放射熱損失の増大や排ガス吸い上げ能力の低下などが抑制されるとともに、硬質断熱材の厚みを薄く設定することが許容されて、亀甲状ヘアクラックによる破壊或いは水蒸気爆裂を防止することが可能となる。
【図面の簡単な説明】
【００２１】
【図１】（Ａ）本考案に係る煙突の第１実施形態の一部を示す正面図である。  （Ｂ）本考案に係る煙突の第２および第３実施形態の一部を示す正面図である。
【図２】本考案に係る煙突に適用される角筒形耐熱壁の第１実施形態を拡大して示す横断平面図である。
【図３】本考案に係る煙突に適用される角筒形耐熱壁の第２実施形態を拡大して示す横断平面図である。
【図４】本考案に係る煙突に適用される角筒形耐熱壁の第３実施形態を拡大して示す横断平面図である。
【考案を実施するための最良の形態】
【００２２】
以下、本考案に係る煙突の好ましい実施形態を図面に基づいて説明する。図１（Ａ）は本考案に係る煙突の第１実施形態の一部を示す正面図、図１（Ｂ）は本考案に係る煙突の第２および第３実施形態の一部を示す正面図、図２は本考案に係る煙突に適用される角筒形耐熱壁の第１実施形態を拡大して示す横断平面図、図３は本考案に係る煙突に適用される角筒形耐熱壁の第２実施形態を拡大して示す横断平面図、図４は本考案に係る煙突に適用される角筒形耐熱壁の第３実施形態を拡大して示す横断平面図である。
【００２３】
図１（Ａ）および図２において、煙突１は、投影平面形状が長方形閉断面の長方形筒形耐熱壁（以下の説明では、角筒形耐熱壁という）２を備える長方形筒形煙突ユニット（以下の説明では、角筒形煙突ユニットという）の複数１Ａ，１Ｂ，１Ｃを、突き合わせ構造により、所定の高さまで上下に積層するとともに、直上と直下で互いに対向する角筒形煙突ユニット１Ａと１Ｂおよび１Ｂと１Ｃを接続手段４により接続して構築される。煙突１は、図示を省略した建物の躯体内に設けた吹き抜けに鉛直姿勢で設置され、その上端部分を建物の屋上などに臨出させ、下端部には、建物の内部に設置されている非常用発電機を駆動するガスタービンエンジンやディーゼルエンジン、ボイラーおよび産業廃棄物焼却炉などの排ガス発生源の排気ダクトが接続される。
【００２４】
接続手段４は、各角筒形煙突ユニット１Ａ，１Ｂ，１Ｃにおける下端部外周に巻回して溶接により固着した山形鋼からなる下側フランジ４ａ（但し、角筒形煙突ユニット１Ｃの下端部および該下端部外周に巻回固着した下側フランジは図示されていない）と、各角筒形煙突ユニット１Ａ，１Ｂ，１Ｃにおける上端部外周に巻回して溶接により固着した山形鋼からなる上側フランジ４ｂ（但し、角筒形煙突ユニット１Ａの上端部および該上端部外周に巻回固着した上側フランジは図示されていない）および周方向等間隔に配置されて下側フランジ４ａと上側フランジ４ｂとを互いに締結するボルト・ナットからなる複数の鉛直締結部材４ｃを備えている。
【００２５】
角筒形耐熱壁２は、硬質断熱材２０と、軟質断熱材２１および鋼板２２を厚み方向で互いに隣接して配置した複合構造体により構成されている。本第１実施形態では、軟質断熱材２１と、この軟質断熱材２１の内面に互いに隣接して配置した硬質断熱材２０と、軟質断熱材２１の外周に互いに隣接して配置されて軟質断熱材２１をタイトに取り囲む鋼板２２との複合構造体により角筒形耐熱壁２が構成されており、この角筒形耐熱壁２が各角筒形煙突ユニット１Ａ，１Ｂ，１Ｃに備わっている。
【００２６】
硬質断熱材２０は、４つのケイ酸カルシウム板２０ａ，２０ｂ，２０ｃ，２０ｄからなり、各カルシウム板２０ａ〜２０ｄの幅方向両端部どうしを、互いに係合して突き合わせた係合・突き合わせ構造５で直角に組み合わせて角筒形に構成されており、各カルシウム板２０ａ〜２０ｄの厚み、つまり、硬質断熱材２０の厚みｔは、３０ｍｍ〜５０ｍｍの範囲、好ましくは３５ｍｍに設定されている。
【００２７】
軟質断熱材２１は、断熱効果の高いロックウール，ガラス繊維，セラミックファイバーなどの少なくとも１つからなる繊維質断熱材により構成されていて、その厚みｔ１は、排ガス温度に対応して適正な大きさに設定されている。例えば、排ガス温度が２５０℃ではｔ１＝２５ｍｍ、５００℃ではｔ１＝５０ｍｍ、６００℃ではｔ１＝７５ｍｍ、６５０℃ではｔ１＝１００ｍｍに設定される。また、前記鋼板２２は、板厚２．６ｍｍ〜９ｍｍの亜鉛メッキ鋼板からなる。
【００２８】
前記構成の角筒形耐熱壁２は、構造が簡素なものでありながら、硬質断熱材２０と鋼板２２との協働により高い剛性が得られるとともに、軟質断熱材２１により高い断熱効果が得られる。よって、放射熱損失の増大や排ガス吸い上げ能力の低下などが抑制されるばかりか、硬質断熱材２０の厚みｔを薄く設定することが許容されて、亀甲状ヘアクラックによる破壊或いは水蒸気爆裂を防止することができるので、各角筒形煙突ユニット１Ａ，１Ｂ，１Ｃおよび煙突１の破壊或いは水蒸気爆裂を防止することが可能となる。
【００２９】
硬質断熱材２０の厚みｔの削減に相当して角筒形耐熱壁２および角筒形煙突ユニット１Ａ，１Ｂ，１Ｃの重量が軽減されるので、取り扱いが容易となり、煙突構築施工の作業性がよくなって、煙突１の構築コストを削減できる。また、角筒形耐熱壁２および角筒形煙突ユニット１Ａ，１Ｂ，１Ｃの重量軽減に相当して、建物内の躯体への負荷荷重が低くなり、建物の躯体におよぶ悪影響が緩和される。さらには、係合・突き合わせ構造５により４つのケイ酸カルシウム板２０ａ〜２０ｄの幅方向両端部どうしが直角に組み合わされていることで、合せ面に小さな隙間（図示省略）が形成されるものの、この隙間は、軟質断熱材２１の繊維質成分の進入により塞がれることと、軟質断熱材２１の外周は鋼板２２によりタイトに取り囲まれていることとにより、排ガスが漏出して室内環境に悪影響をおよぼすことはない。なお、当該第１実施形態に係る角筒形耐熱壁２が備わる角筒形煙突ユニットの複数１Ａ，１Ｂ，１Ｃを、上下に積層して構築した煙突１は、一辺の長さが５００ｍｍ未満の小口径煙突の構築に好適である。
【００３０】
つぎに、本考案に係る煙突１に適用される角筒形耐熱壁２の第２実施形態を図３に基づいて説明する。なお、図２の第１実施形態と同一または相当部分には同一符号を付して、重複する構造の詳しい説明は省略する。
図１（Ｂ）および図３において、角筒形耐熱壁２は、硬質断熱材２０と、軟質断熱材２１および鋼板２２を厚み方向で互いに隣接して配置した複合構造体により構成されており、本第２実施形態では、軟質断熱材２１と、この軟質断熱材２１の内周に互いに隣接して配置した鋼板２２と、軟質断熱材２１の外周に互いに隣接して配置されて軟質断熱材２１を取り囲む硬質断熱材２０との複合構造体により角筒形耐熱壁２が構成され、この角筒形耐熱壁２が各角筒形煙突ユニット１Ａ，１Ｂ，１Ｃに備わっている。
【００３１】
鋼板２２はステンレス鋼板からなり、板厚が０．６ｍｍ〜１．５ｍｍの４つの基板２２ａ，２２ｂ，２２ｃ，２２ｄからなり、図３において上下で互いに対向する基板２２ａ，２２ｂそれぞれの幅方向両端部を相手側に向けて直角に折曲して形成した鉛直な合せ代２２ｘの外面に、図３において左右で互いに対向する基板２２ｃ，２２ｄそれぞれの幅方向両端部（図３では、上下方向両端部）を重ね合せることにより角筒形に構成されている。
【００３２】
硬質断熱材２０は、４つのケイ酸カルシウム板２０ａ，２０ｂ，２０ｃ，２０ｄからなり、図３において上下で互いに対向するケイ酸カルシウム板２０ａ，２０ｂそれぞれの幅方向両端面を、図３において左右で互いに対向するケイ酸カルシウム板２０ｃ，２０ｄそれぞれの幅方向両端部内面（図３では、上下方向両端部内面）に当接させることにより角筒形に構成されており、この硬質断熱材２０の４つの隅角部外面に内接して、山形鋼からなるコーナ材６が鉛直に設置され、コーナ材６の外面には、山形鋼からなる４つの横架材７が上下の間隔を隔てて水平に架け渡して固着されている。また、ステンレス製のボルト・ナットからなる複数の水平な締結部材８（但し、図１（Ｂ）には図示されていない）により、左右の横架材７と、基板２２ｃ，２２ｄそれぞれの幅方向両端部および当該幅方向両端部の内面に重なる基板２２ａ，２２ｂそれぞれの合せ代２２ｘとを互いに連結・締結して、硬質断熱材２０とステンレス鋼板２２とで軟質断熱材２１をサンドイッチしている。
【００３３】
前記構成の角筒形耐熱壁２は、構造が簡素なものでありながら、硬質断熱材２０，鋼板２２，コーナ材６および複数の水平な締結部材８の協働により高い剛性が得られるとともに、軟質断熱材２１により高い断熱効果が得られる。よって、放射熱損失の増大や排ガス吸い上げ能力の低下などが抑制されるばかりか、硬質断熱材２０の厚みｔを薄く設定することが許容されて、亀甲状ヘアクラックによる破壊或いは水蒸気爆裂を防止することができるので、各角筒形煙突ユニット１Ａ，１Ｂ，１Ｃおよび煙突１の破壊或いは水蒸気爆裂を防止することが可能となり、さらには、図２で説明した第１実施形態の角筒形耐熱壁２と同様の作用・効果を奏する。なお、当該第２実施形態に係る角筒形耐熱壁２が備わる角筒形煙突ユニットの複数１Ａ，１Ｂ，１Ｃを、上下に積層して構築した煙突１も、一辺の長さが５００ｍｍ未満の小口径煙突の構築に好適である。
【００３４】
つぎに、本考案に係る煙突１に適用される角筒形耐熱壁２の第３実施形態を図４に基づいて説明する。なお、前記図２，図３の第１，第２実施形態と同一または相当部分には同一符号を付して、重複構造の詳しい説明は省略する。
図１（Ｂ）および図４において、角筒形耐熱壁２は、軟質断熱材２１と、この軟質断熱材２１の厚み方向両面に互いに隣接して配置した第１，第２硬質断熱材２０Ａ，２０Ｂとの複合構造体により構成されており、この角筒形耐熱壁２が各角筒形煙突ユニット１Ａ，１Ｂ，１Ｃに備わっている。
【００３５】
第１硬質断熱材２０Ａは、４つのケイ酸カルシウム板２０ａ，２０ｂ，２０ｃ，２０ｄからなり、図４において上下で互いに対向するケイ酸カルシウム板２０ａ，２０ｂそれぞれの幅方向両端部下面に、図４において左右で互いに対向するケイ酸カルシウム板２０ｃ，２０ｄそれぞれの幅方向両端面（図４では、上下方向両端面）を当接させることにより角筒形に構成されており、第２硬質断熱材２０Ｂは、４つのケイ酸カルシウム板２０ａ´，２０ｂ´，２０ｃ´，２０ｄ´からなり、図４において上下で互いに対向するケイ酸カルシウム板２０ａ´，２０ｂ´それぞれの幅方向両端面を、図４において左右で互いに対向するケイ酸カルシウム板２０ｃ´，２０ｄ´それぞれの幅方向両端部内面（図４では、上下方向両端部内面）に当接させることによって角筒形に構成されている。
【００３６】
第１硬質断熱材２０Ａの４つの隅角部内面に外接して小さな山形鋼からなるコーナ材９が鉛直に設置されるとともに、ケイ酸カルシウム板２０ａ，２０ｂの幅方向中央部内面に外接して小さな山形鋼からなる補強材１０が鉛直に設置されており、第２硬質断熱材２０Ｂの４つの隅角部外面に内接して、山形鋼からなるコーナ材６Ａが鉛直に設置され、コーナ材６Ａの外面には、山形鋼からなる４つの横架材７Ａが上下の間隔を隔てて水平に架け渡して固着されている。
【００３７】
また、ステンレス製のボルト・ナットからなる複数の水平な締結部材８Ａ（但し、図１（Ｂ）には図示されていない）により、左右の横架材７Ａとコーナ材９とを互いに連結・締結するとともに、前記複数の水平な締結部材８Ａにより、上下の横架材７Ａと補強材１０とを互いに連結・締結して、第１，第２硬質断熱材２０Ａ，２０Ｂにより軟質断熱材２１をサンドイッチしている。
【００３８】
前記構成の角筒形耐熱壁２は、構造が簡素なものでありながら、第１，第２硬質断熱材２０Ａ，２０Ｂ，コーナ材６Ａ，コーナ材９，補強材１０および複数の水平な締結部材８Ａの協働により高い剛性が得られるとともに、軟質断熱材２１により高い断熱効果が得られる。よって、放射熱損失の増大や排ガス吸い上げ能力の低下などが抑制されるばかりか、第１，第２硬質断熱材２０Ａ，２０Ｂの厚みｔを薄く設定することが許容されて、亀甲状ヘアクラックによる破壊或いは水蒸気爆裂を防止することができるので、各角筒形煙突ユニット１Ａ，１Ｂ，１Ｃおよび煙突１の破壊或いは水蒸気爆裂を防止することが可能となり、さらには、図２，図３で説明した第１，第２実施形態の角筒形耐熱壁２と同様の作用・効果を奏する。なお、当該第３実施形態に係る角筒形耐熱壁２が備わる角筒形煙突ユニットの複数１Ａ，１Ｂ，１Ｃを、上下に積層して構築した煙突１は、一辺の長さが５００ｍｍ以上の大口径煙突の構築に好適である。
【００３９】
大口径煙突の構築に適用される角筒形耐熱壁２において、各辺の水平方向の長さが１０００ｍｍを超えた場合、その長さに相当する幅広の１枚のケイ酸カルシウム板２０ａ〜２０ｄ、２０ａ´〜２０ｄ´により各辺を構成すると、熱膨張および熱収縮に伴う撓曲が過剰になって、角筒形耐熱壁２の形態が損なわれるので、幅寸法が１０００ｍｍ以内のケイ酸カルシウム板２０ａ〜２０ｄ、２０ａ´〜２０ｄ´の継ぎ足しにより補うことで各辺の水平方向の長さを１０００ｍｍ超にすることが望ましい。
【００４０】
前記各実施形態では、投影平面形状が長方形閉断面の長方形筒形耐熱壁２について説明しているが、正方形、三角形、台形など様々な角形投影平面形状により角筒形耐熱壁２を構成してもよい。
【００４１】
本考案に係る煙突１は、前記実施形態のみに限定されるものではなく、その趣旨および技術思想を逸脱しない範囲であれば、構造変形が可能である。
【産業上の利用可能性】
【００４２】
本考案の煙突は、非常用発電機を駆動するガスタービンエンジンやディーゼルエンジンの排ガス，ボイラーの排ガス或いは産業廃棄物焼却炉の排ガスなどを屋外に放散させる煙突として有用である。
【符号の説明】
【００４３】
１  煙突
１Ａ  煙突ユニット
１Ｂ  煙突ユニット
１Ｃ  煙突ユニット
２  角筒形耐熱壁
２０  硬質断熱材
２０Ａ  第１硬質断熱材
２０Ｂ  第２硬質断熱材
２０ａ〜２０ｂ  ケイ酸カルシウム板
２０ａ´〜２０ｂ´  ケイ酸カルシウム板
２１  軟質断熱材
２２  亜鉛メッキ鋼板、ステンレス鋼板（鋼板）
【図１】
0003204301.tif 000003
【図２】
0003204301.tif 000004
【図３】
0003204301.tif 000005
【図４】
0003204301.tif 000006